(57)【要約】【課題】発電プラントのＣＯ２排出量の目標値からのずれ量を推定できる。【解決手段】ＣＯ２排出量推定装置が、発電プラント４の出力と単位出力当たりのＣＯ２排出量の理想値を示すＣＯ２排出係数との対応関係を示す出力-ＣＯ２排出係数特性データと、各時刻での発電プラントの出力計画を示す発電計画データとを用いて、発電プラントのＣＯ２排出量の目標値を算出する。また、発電プラント４の燃料投入量と出力の測定値との対応関係を示す出力-燃料投入量特性データと燃料投入量とＣＯ２排出量の理想値との対応関係を示す燃料投入量-ＣＯ２排出量特性データとを用いて、発電プラントのＣＯ２排出量の推定値を算出する。そして、前記推定値の前記目標値からのずれ量を算出し、これを出力する。【選択図】図１
2007052530.tif 000002
【特許請求の範囲】
【請求項１】
コンピュータが、発電プラントのＣＯ２排出量を推定する、ＣＯ２排出量推定方法であって、
前記コンピュータの記憶装置には、
前記発電プラントの出力電力と単位出力電力当たりのＣＯ２排出量を示すＣＯ２排出係数との対応関係を示す出力-ＣＯ２排出係数特性データと、各時刻での前記発電プラントの出力計画を示す発電計画データと、前記発電プラントの出力電力の測定値と前記発電プラントへの燃料投入量に測定値との対応関係を示す出力-燃料投入量特性データと、各時刻での前記発電プラントの出力電力の測定値を示す発電実績データと、前記発電プラントへの燃料投入量とＣＯ２排出量の理想値との対応関係を示す燃料投入量-ＣＯ２排出量特性データと、が記憶されており、
前記コンピュータの演算装置は、
前記記憶装置に記憶されている前記出力-ＣＯ２排出係数特性データおよび前記発電計画データを用いて、前記発電計画データが示す発電計画通りに前記発電プラントを稼動させた場合のＣＯ２排出量であるＣＯ２排出量目標値を算出するステップと、
前記記憶装置に記憶されている前記出力-燃料投入量特性データ、前記発電実績データおよび前記燃料投入量-ＣＯ２排出量特性データを用いて、前記発電実績データが示す発電実績通りに発電プラント４が稼動した際に実際に発生したＣＯ２排出量であるＣＯ２排出量推定値を算出するステップと、
前記ＣＯ２排出量推定値の前記ＣＯ２排出量目標値からのずれ量を算出し、これを出力するステップと、を行うこと
を特徴とするＣＯ２排出量推定方法。
【請求項２】
請求項１に記載のＣＯ２排出量推定方法であって、
前記演算装置は、
前記発電実績データおよび前記出力-燃料投入量特性データを通信装置を介して受信し、前記記憶装置に記憶するステップをさらに行うこと
を特徴とするＣＯ２排出量推定方法。
【請求項３】
請求項１又は２に記載のＣＯ２排出量推定方法であって、
前記記憶装置には、
ＣＯ２排出量とＣＯ２排出権の価格との対応関係を示すＣＯ２排出権価格データをさらに記憶しており、
前記出力するステップにおいて、前記演算装置は、前記ＣＯ２排出権価格データを用いて前記ずれ量に相当するＣＯ２排出権の価格を特定し、これを出力すること
を特徴とするＣＯ２排出量推定方法。
【請求項４】
発電プラントのＣＯ２排出量を推定するＣＯ２排出量推定装置であって、
記憶装置と、演算装置と、出力装置とを有し、
前記記憶装置には、
前記発電プラントの出力電力と単位出力電力当たりのＣＯ２排出量を示すＣＯ２排出係数との対応関係を示す出力-ＣＯ２排出係数特性データと、各時刻での前記発電プラントの出力計画を示す発電計画データと、前記発電プラントの出力電力の測定値と前記発電プラントへの燃料投入量に測定値との対応関係を示す出力-燃料投入量特性データと、各時刻での前記発電プラントの出力電力の測定値を示す発電実績データと、前記発電プラントへの燃料投入量とＣＯ２排出量の理想値との対応関係を示す燃料投入量-ＣＯ２排出量特性データと、が記憶されており、
前記演算装置は、
前記記憶装置に記憶されている前記出力-ＣＯ２排出係数特性データおよび前記発電計画データを用いて、前記発電計画データが示す発電計画通りに前記発電プラントを稼動させた場合のＣＯ２排出量であるＣＯ２排出量目標値を算出する手段と、
前記記憶装置に記憶されている前記出力-燃料投入量特性データ、前記発電実績データおよび前記燃料投入量-ＣＯ２排出量特性データを用いて、前記発電実績データが示す発電実績通りに発電プラント４が稼動した際に実際に発生したＣＯ２排出量であるＣＯ２排出量推定値を算出する手段と、
前記ＣＯ２排出量推定値の前記ＣＯ２排出量目標値からのずれ量を算出し、これを前記出力装置から出力する手段と、を有すること
を特徴とするＣＯ２排出量推定装置。
【請求項５】
コンピュータが発電プラントのＣＯ２排出量を推定するための、コンピュータで読み取り可能なプログラムであって、
前記コンピュータの記憶装置には、
前記発電プラントの出力電力と単位出力電力当たりのＣＯ２排出量を示すＣＯ２排出係数との対応関係を示す出力-ＣＯ２排出係数特性データと、各時刻での前記発電プラントの出力計画を示す発電計画データと、前記発電プラントの出力電力の測定値と前記発電プラントへの燃料投入量に測定値との対応関係を示す出力-燃料投入量特性データと、各時刻での前記発電プラントの出力電力の測定値を示す発電実績データと、前記発電プラントへの燃料投入量とＣＯ２排出量の理想値との対応関係を示す燃料投入量-ＣＯ２排出量特性データと、が記憶されており、
前記プログラムは、前記コンピュータの演算装置に、
前記記憶装置に記憶されている前記出力-ＣＯ２排出係数特性データおよび前記発電計画データを用いて、前記発電計画データが示す発電計画通りに前記発電プラントを稼動させた場合のＣＯ２排出量であるＣＯ２排出量目標値を算出するステップと、
前記記憶装置に記憶されている前記出力-燃料投入量特性データ、前記発電実績データおよび前記燃料投入量-ＣＯ２排出量特性データを用いて、前記発電実績データが示す発電実績通りに発電プラント４が稼動した際に実際に発生したＣＯ２排出量であるＣＯ２排出量推定値を算出するステップと、
前記ＣＯ２排出量推定値の前記ＣＯ２排出量目標値からのずれ量を算出し、これを出力するステップと、を行わせること
を特徴とするコンピュータで読み取り可能なプログラム。
【発明の詳細な説明】
【技術分野】
【０００１】
本発明は、発電プラントのＣＯ２排出量を推定する技術に関する。
【背景技術】
【０００２】
近年、環境保護に対する取組みの一環として、ＣＯ２排出権の導入が提案されている。ＣＯ２排出権とはＣＯ２を排出できる権利である。ＣＯ２排出権の所有者は、当該権利で自身に割り当てられた量のＣＯ２（ＣＯ２排出量）を、自身の工場、発電プラント等から排出することができる（特許文献１）。
【０００３】
【特許文献１】特開２００２-１４９９７８号公報
【発明の開示】
【発明が解決しようとする課題】
【０００４】
ところで、発電プラント提供者は、発電プラントの提供に先立って、発電プラントの納入者（発電家）に対してその性能等を説明し、当該発電プラントの試験期間において、その性能がある程度保証されるように改善等を試みることが一般的である。今後の導入が検討されているＣＯ２排出権を考えると、発電プラントの性能のうちの一つとして、ＣＯ２排出量についても考慮する必要が出てくるものと思われる。
【０００５】
本発明は上記事情に鑑みてなされたものであり、発電プラントのＣＯ２排出量を推定することにある。
【課題を解決するための手段】
【０００６】
上記課題を解決するために、本発明は、コンピュータが、発電プラントの出力と単位出力当たりのＣＯ２排出量の理想値を示すＣＯ２排出係数との対応関係を示す出力-ＣＯ２排出係数特性データと、各時刻での発電プラントの出力計画を示す発電計画データとを用いて、発電プラントのＣＯ２排出量の目標値を算出する。また、発電プラントの出力の測定値と燃料投入量との対応関係を示す出力-燃料投入量特性データと、各時刻での発電プラントの出力の測定値を示す発電実績データと、燃料投入量とＣＯ２排出量の理想値との対応関係を示す燃料投入量-ＣＯ２排出量特性データとを用いて、発電プラントのＣＯ２排出量の推定値を算出する。そして、前記推定値の前記目標値からのずれ量を算出し、これを出力する。
【０００７】
例えば、本発明は、コンピュータが、発電プラントのＣＯ２排出量を推定する、ＣＯ２排出量推定方法であって、
前記コンピュータの記憶装置には、
前記発電プラントの出力電力と単位出力電力当たりのＣＯ２排出量を示すＣＯ２排出係数との対応関係を示す出力-ＣＯ２排出係数特性データと、各時刻での前記発電プラントの出力計画を示す発電計画データと、前記発電プラントの出力電力の測定値と前記発電プラントへの燃料投入量に測定値との対応関係を示す出力-燃料投入量特性データと、各時刻での前記発電プラントの出力電力の測定値を示す発電実績データと、前記発電プラントへの燃料投入量とＣＯ２排出量の理想値との対応関係を示す燃料投入量-ＣＯ２排出量特性データと、が記憶されており、
前記コンピュータの演算装置は、
前記記憶装置に記憶されている前記出力-ＣＯ２排出係数特性データおよび前記発電計画データを用いて、前記発電計画データが示す発電計画通りに前記発電プラントを稼動させた場合のＣＯ２排出量であるＣＯ２排出量目標値を算出するステップと、
前記記憶装置に記憶されている前記出力-燃料投入量特性データ、前記発電実績データおよび前記燃料投入量-ＣＯ２排出量特性データを用いて、前記発電実績データが示す発電実績通りに発電プラント４が稼動した際に実際に発生したＣＯ２排出量であるＣＯ２排出量推定値を算出するステップと、
前記ＣＯ２排出量推定値の前記ＣＯ２排出量目標値からのずれ量を算出し、これを出力するステップと、を行う。
【発明の効果】
【０００８】
本発明によれば、発電プラントのＣＯ２排出量の目標値からのずれ量を推定できる。これにより、例えば発電プラント提供者と発電家との間で、ずれ量に応じたＣＯ２排出権の交換を行うことで、発電プラント導入における両者のリスクを減少させることができる。
【発明を実施するための最良の形態】
【０００９】
以下に、本発明の実施の形態を説明する。
【００１０】
図１は本発明の一実施形態が適用されたＣＯ２排出量推定システムの概略図である。図示するように、本実施形態のＣＯ２排出量推定システムは、ＣＯ２排出量推定装置１と、プロセス量送信装置２とが、ＬＡＮ、ＷＡＮ等のネットワーク３を介して互いに接続されて構成されている。
【００１１】
プロセス量送信装置２は、発電プラント４で計測されたプロセス量（燃料投入量、出力電力等）を、ＣＯ２排出量推定装置１に送信する。なお、プロセス量送信装置２には、既存のネットワーク端末を利用できるので、その詳細な説明を省略する。
【００１２】
ＣＯ２排出量推定装置１は、発電プラント４のＣＯ２排出量の目標値を算出する。また、プロセス量送信装置２から送られてきたプロセス量を用いて実際のＣＯ２排出量を推定する。図２はＣＯ２排出量推定装置１の概略構成図である。
【００１３】
図示するように、ＣＯ２排出量推定装置１は、演算部１００と、記憶部１２０と、キーボード、ディスプレイ、ＣＤ-ＲＯＭドライブ等の周辺装置と情報の入出力を行なう入出力部１４０と、ネットワーク３に接続するためのネットワークＩＦ（インターフェース）部１６０と、を有する。
【００１４】
記憶部１２０は、出力-ＣＯ２排出係数特性データ記憶部１２１と、発電計画データ記憶部１２２と、ＣＯ２排出量目標値記憶部１２３と、出力-燃料投入量特性データ記憶部１２４と、発電実績データ記憶部１２５と、燃料投入量-ＣＯ２排出量特性データ記憶部１２６と、ＣＯ２排出量推定値記憶部１２７と、ＣＯ２排出権価格データ記憶部１２８と、を有する。
【００１５】
出力-ＣＯ２排出係数特性データ記憶部１２１には、図３に示すように、発電プラント４の出力の理想値と、単位出力当たりのＣＯ２排出量の理想値を示すＣＯ２排出係数との対応関係を示すデータ１２１０が記憶されている。このデータは、例えば入出力部１４０を介してユーザにより予め出力-ＣＯ２排出係数特性データ記憶部１２１に記憶される。
【００１６】
発電計画データ記憶部１２２には、図４に示すように、各時刻での発電プラント４の出力計画を示す発電計画データ１２２０が記憶される。このデータは、例えば入出力部１４０を介してユーザにより予め発電計画データ記憶部１２２に記憶される。
【００１７】
ＣＯ２排出量目標値記憶部１２３には、発電プラント４に期待されているＣＯ２排出量の目標値が記憶される。このＣＯ２排出量の目標値は、後述するＣＯ２排出量目標値算出部１０３により算出される。
【００１８】
出力-燃料投入量特性データ記憶部１２４には、図５に示すように、発電プラント４の出力の実測値と、発電プラント４への燃料投入量の実測値との対応関係を示すデータ１２４０が記憶される。このデータは、後述する出力-燃料投入量特性データ管理部１０２によって出力-燃料投入量特性データ記憶部１２４に登録される。
【００１９】
発電実績データ記憶部１２５には、図６に示すように、各時刻での発電プラント４の出力の実測値を示す発電計画データ１２５０が記憶される。このデータは、後述する発電実績データ管理部１０１によって発電実績データ記憶部１２５に登録される。
【００２０】
燃料投入量-ＣＯ２排出量特性データ記憶部１２６には、図７に示すように、発電プラント４への燃料投入量の理想値と、発電プラント４からのＣＯ２排出量の理想値との対応関係を示すデータ１２６０が記憶されている。このデータは、例えば入出力部１４０を介してユーザにより予め燃料投入量-ＣＯ２排出量特性データ記憶部１２６に記憶される。
【００２１】
ＣＯ２排出量推定値記憶部１０４には、発電プラント４の稼動実績から求めたＣＯ２排出量の推定値が記憶される。このＣＯ２排出量の推定値は、後述するＣＯ２排出量推定出部１０４により算出される。
【００２２】
ＣＯ２排出量権価格データ記憶部１２８には、図８に示すように、ＣＯ２排出量の範囲毎にレコード１２８０が設けられている。レコード１２８０は、ＣＯ２排出量の範囲を登録するフィールド１２８１と、該ＣＯ２排出量相当のＣＯ２排出権の価格を登録するフィールド１２８２と、を有する。このデータは、例えば入出力部１４０を介してユーザにより予めＣＯ２排出量権価格データ記憶部１２８に記憶される。
【００２３】
次に、演算部１００は、発電実績データ管理部１０１と、出力-燃料投入量特性データ管理部１０２と、ＣＯ２排出量目標値算出部１０３と、ＣＯ２排出量推定部１０４と、ＣＯ２排出権換算部１０５と、を有する。
【００２４】
発電実績データ管理部１０１は、ネットワークＩＦ部１６０を介してプロセス量送信装置２から時刻情報と出力電力情報とを含むデータを受信する毎に、該データを発電実績データ記憶部１２５に格納する。この処理により、発電実績データ記憶部１２５に図６に示すような発電実績データが記憶される。
【００２５】
出力-燃料投入量特性データ管理部１０２は、ネットワークＩＦ部１６０を介してプロセス量送信装置２から主力電力の実測値と燃料投入量の実測値とを含むデータを受信する毎に、該データを出力-燃料投入量特性データ記憶部１２４に格納する。この処理により、出力-燃料投入量特性データ記憶部１２４に図５に示すような出力-燃料投入量特性データが記憶される。
【００２６】
ＣＯ２排出量目標値算出部１０３は、出力-ＣＯ２排出係数特性データ記憶部１２１および発電計画データ記憶部１２２を用いて、発電計画データが示す発電計画通りに発電プラント４を稼動した場合のＣＯ２排出量であるＣＯ２排出量目標値を算出する。
【００２７】
図９はＣＯ２排出量目標値算出部１０３の動作を説明するためのフロー図である。このフローは、ＣＯ２排出量目標値算出部１０３が、例えば入出力部１４０を介してユーザよりＣＯ２排出量目標値の算出指示を受け付けることで開始される。
【００２８】
先ず、ＣＯ２排出量目標値算出部１０３は、出力-ＣＯ２排出係数特性データ記憶部１２１にアクセスし、出力-ＣＯ２排出係数特性データ記憶部１２１から出力Ｐの関数であるＣＯ２排出係数α（Ｐ）を読み出す（Ｓ１００１）。
【００２９】
次に、ＣＯ２排出量目標値算出部１０３は、発電計画データ記憶部１２２にアクセスし、発電計画データ記憶部１２２から時間ｔ（但し０≦ｔ≦ｔ１）の関数である出力電力Ｐ（ｔ）を読み出す（Ｓ１００２）。
【００３０】
それから、ＣＯ２排出量目標値算出部１０３は、Ｐ（ｔ）×α（Ｐ（ｔ））を発電計画データが示す時間ｔ＝０〜ｔ１で時間積分する（Ｓ１００３）。そして、ＣＯ２排出量目標値算出部１０３は、その積分結果をＣＯ２排出量目標値に設定し、ＣＯ２排出量目標値記憶部１２３に記憶する（Ｓ１００４）。
【００３１】
ＣＯ２排出量推定部１０４は、出力-燃料投入量特性データ記憶部１２４、発電実績データ記憶部１２５、および、燃料投入量-ＣＯ２排出量特性データ記憶部１２６を用いて、発電実績データが示す発電実績通りに発電プラント４が稼動した場合に実際に発生したＣＯ２排出量を推定する。
【００３２】
図１０はＣＯ２排出量推定部１０４の動作を説明するためのフロー図である。このフローは、ＣＯ２排出量推定部１０４が、例えば入出力部１４０を介してユーザよりＣＯ２排出量の推定指示を受け付けることで開始される。
【００３３】
先ず、ＣＯ２排出量推定部１０４は、出力-燃料投入量特性データ記憶部１２４にアクセスし、出力-燃料投入量特性データ記憶部１２４から出力Ｐの関数である燃料投入量Ｆｕ（Ｐ）を読み出す（Ｓ２００１）。
【００３４】
次に、ＣＯ２排出量推定部１０４は、発電実績データ記憶部１２５にアクセスし、発電実績データ記憶部１２５から時間ｔ（但し０≦ｔ≦ｔ１）の関数である出力電力Ｐ（ｔ）を読み出す（Ｓ２００２）。
【００３５】
次に、ＣＯ２排出量推定部１０４は、燃料投入量-ＣＯ２排出量特性データ記憶部１２６にアクセスし、燃料投入量-ＣＯ２排出量特性データ記憶部１２６から燃料投入量Ｆｕの関数であるＣＯ２排出量Ｃ（Ｆｕ）を読み出す（Ｓ２００３）。
【００３６】
それから、ＣＯ２排出量推定部１０４は、Ｃ（Ｆｕ（Ｐ（ｔ）））を発電実績データが示す時間ｔ＝０〜ｔ１で時間積分する（Ｓ２００４）。そして、ＣＯ２排出量推定部１０４は、その積分結果をＣＯ２排出量推定値に設定し、ＣＯ２排出量推定値記憶部１２７に記憶する（Ｓ２００５）。
【００３７】
図２に戻って説明を続ける。ＣＯ２排出権換算部１０５は、ＣＯ２排出量目標値記憶部１２３に記憶されているＣＯ２排出量目標値と、ＣＯ２排出量推定値記憶部１２７に記憶されているＣＯ２排出量推定値との差分に相当するＣＯ２排出権の価格を、ＣＯ２排出権価格データ記憶部１２８から検索する。そして、検索した価格を、発電プラント４の利用者（発電家）から貰うべき価格、あるいは、発電プラント４の利用者（発電家）へ支払うべき価格として、ユーザに提示する。
【００３８】
図１１はＣＯ２排出権換算部１０５の動作を説明するためのフロー図である。このフローは、ＣＯ２排出権換算部１０５が、例えば入出力部１４０を介してユーザよりＣＯ２排出権の換算指示を受け付けることで開始される。
【００３９】
先ず、ＣＯ２排出権換算部１０５は、ＣＯ２排出量目標値記憶部１２３からＣＯ２排出量目標値Ｈ１を読み出す（Ｓ３００１）。
【００４０】
次に、ＣＯ２排出権換算部１０５は、ＣＯ２排出量推定値記憶部１２７からＣＯ２排出量推定値Ｈ２を読み出す（Ｓ３００２）。
【００４１】
それから、ＣＯ２排出権換算部１０５は、ＣＯ２排出量目標値Ｈ１とＣＯ２排出量推定値Ｈ２との差分の絶対値｜Ｈ１-Ｈ２｜が属する範囲がフィールド１２８１に登録されているレコード１２８０を、ＣＯ２排出権価格データ記憶部１２８から読み出す。そして、該レコード１２８０のフィールド１２８２に登録されているＣＯ２排出権価格を取得する（Ｓ３００３）。
【００４２】
次に、ＣＯ２排出権換算部１０５は、ＣＯ２排出量目標値Ｈ１がＣＯ２排出量推定値Ｈ２より大きいか否かを調べる（Ｓ３００４）。大きい場合（Ｓ３００４でＹＥＳ）は、実際のＣＯ２排出量を目標値より小さくすることができたことを意味する。この場合は、Ｓ３００３で取得したＣＯ２排出権価格を、発電プラント４を導入した発電家から、目標の性能よりも高い性能を上げることができたことの対価として入手可能なＣＯ２排出権の価格として、入出力部１４０からユーザに提示する（Ｓ３００５）。
【００４３】
一方、小さい場合（Ｓ３００４でＮＯ）は、実際のＣＯ２排出量が目標値をオーバしていることを意味する。この場合は、Ｓ３００３で取得したＣＯ２排出権価格を、発電プラント４を導入した発電家へ、目標の性能よりも高い性能を上げることができなかったことのペナルティとして支払うべきＣＯ２排出権の価格として、入出力部１４０からユーザに提示する（Ｓ３００６）。
【００４４】
上記構成のＣＯ２排出量推定装置１は、例えば図１２に示すような、ＣＰＵ９０１と、メモリ９０２と、ＨＤＤ等の外部記憶装置９０３と、ＣＤ-ＲＯＭやＤＶＤ-ＲＯＭ等の可搬性を有する記憶媒体９０４から情報を読み出す読取装置９０５と、キーボードやマウスなどの入力装置９０６と、ディスプレイなどの出力装置９０７と、ネットワーク３に接続するためのＮＩＣ９０８と、を備えた一般的なコンピュータシステムにおいて、ＣＰＵ９０１がメモリ９０２上にロードされた所定のプログラムを実行することで実現できる。
【００４５】
この所定のプログラムは、読取装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介してネットワークから、メモリ９０２上に直接ロードされ、ＣＰＵ９０１により実行されるようにしてもよい。なお、この場合において、記憶部１２０には、メモリ９０２や外部記憶装置９０３や記憶媒体９０４が利用され、入出力部１４０には、入力装置９０６や出力装置９０７や読取装置９０５が利用され、ネットワークＩＦ部１６０にはＮＩＣ９０８が利用される。
【００４６】
以上、本発明の一実施形態について説明した。
【００４７】
本実施形態によれば、発電プラントのＣＯ２排出量の目標値からのずれ量を推定できる。これにより、例えば発電プラント提供者と発電家との間で、ずれ量に応じたＣＯ２排出権あるいはＣＯ２排出権に応じた額面の交換を行うことで、発電プラント導入における両者のリスクを減少させることができる。
【００４８】
なお、本発明は上記の実施形態に限定されるものではなく、その要旨の範囲内で数々の変形が可能である。例えば、ＣＯ２排出量推定装置１は、複数のコンピュータを用いて実現してもよい。
【図面の簡単な説明】
【００４９】
【図１】図１は本発明の一実施形態が適用されたＣＯ２排出量推定システムの概略図である。
【図２】図２はＣＯ２排出量推定装置１の概略構成図である。
【図３】図３は出力-ＣＯ２排出係数特性データ記憶部１２１の登録内容を模式的に表した図である。
【図４】図４は発電計画データ記憶部１２２の登録内容例を模式的に表した図である。
【図５】図５は出力-燃料投入量特性データ記憶部１２４の登録内容例を模式的に表した図である。
【図６】図６は発電実績データ記憶部１２５の登録内容例を模式的に表した図である。
【図７】図７は燃料投入量-ＣＯ２排出量特性データ記憶部１２６の登録内容例を模式的に表した図である。
【図８】図８はＣＯ２排出量権価格データ記憶部１２８の登録内容を模式的に表した図である。
【図９】図９はＣＯ２排出量目標値算出部１０３の動作を説明するためのフロー図である。
【図１０】図１０はＣＯ２排出量推定部１０４の動作を説明するためのフロー図である。
【図１１】図１１はＣＯ２排出権換算部１０５の動作を説明するためのフロー図である。
【図１２】図１２はＣＯ２排出量推定装置１のハードウエア構成例を説明するための図である。
【符号の説明】
【００５０】
１…ＣＯ２排出量推定装置、２…プロセス量送信装置、３…ネットワーク、４…発電プラント、１００…演算部、１０１…発電実績データ管理部、１０２…出力-燃料投入量特性データ管理部、１０３…ＣＯ２排出量目標値算出部、１０４…ＣＯ２排出量推定部、１０５…ＣＯ２排出権換算部、１２０…記憶部、１２１…出力-ＣＯ２排出係数特性データ記憶部、１２２…発電計画データ記憶部、１２３…出力-燃料投入量特性データ記憶部、１２５…発電実績データ記憶部、１２６…燃料投入量-ＣＯ２排出量特性データ記憶部、１２８…ＣＯ２排出権価格データ記憶部
【図１】
2007052530.tif 000003
【図２】
2007052530.tif 000004
【図３】
2007052530.tif 000005
【図４】
2007052530.tif 000006
【図５】
2007052530.tif 000007
【図６】
2007052530.tif 000008
【図７】
2007052530.tif 000009
【図８】
2007052530.tif 000010
【図９】
2007052530.tif 000011
【図１０】
2007052530.tif 000012
【図１１】
2007052530.tif 000013
【図１２】
2007052530.tif 000014